(57)【要約】【課題】どのような状態の原稿に対しても画質劣化の無いコピーを得ることができる複写装置を提供する。【解決手段】操作部１８０上でコピー開始指示を与えると、原稿の画像データの読み込み動作を行う（Ｓ２２）。原稿に付加された付加情報を検出し（Ｓ２３）、原稿に対するオリジナルファイルをネットワーク経由で検索する（Ｓ２４）。オリジナルファイルが見つかったか否かを判別し（Ｓ２５）、オリジナルファイルが見つからない場合、検出された付加情報から得られたファイルのパス情報を操作部１８０に表示し、付加情報を編集可能とする（Ｓ２８）。編集後の付加情報を基に、オリジナルファイルが見つかった場合、検索されたファイルをＰＣ上でＰＤＬジョブ展開し、ネットワーク４００経由で転送し（Ｓ２６）、プリント出力する（Ｓ２７）。【選択図】      図１５
2004153638.tif 000002
【特許請求の範囲】
【請求項１】
原稿から読み取った画像信号を入力する画像入力手段と、該入力した画像信号から付加情報を読み込む付加情報読込手段と、該読み込んだ付加情報を基に、前記原稿のオリジナルファイルを検索する検索手段とを備え、前記原稿の代わりに前記検索されたオリジナルファイルを用いて印刷する複写装置において、
前記付加情報を表示する表示手段と、
該表示された付加情報を編集する編集手段とを備え、
前記検索手段は、前記編集された付加情報を新たな付加情報として検索に用いることを特徴とする複写装置。
【発明の詳細な説明】
【０００１】
【発明の属する技術分野】
本発明は、例えばネットワークあるいは公衆回線に接続された複写装置に関する。
【０００２】
【従来の技術】
従来、この種の複写装置では、コピー機能として、原稿をスキャナから読み取り、電子透かしやバーコード等の手法で原稿に付加された付加情報を検出し、付加情報に基づいてオリジナルファイルをコピー出力の代わりにプリントアウトする方法が提案されている。これにより、原稿に対して画像劣化の無いコピー出力を得ることが可能である。また、原稿が孫コピー、曾孫コピーされて画質が劣化しても、このようなコピーを行うことでオリジナルの画質に回復させることも可能である。尚、この提案に関し、出願時において、開示すべき先行技術文献情報は見当たりませんでした。
【０００３】
【発明が解決しようとする課題】
しかしながら、上記従来の複写装置では、原稿の画質劣化が激しい場合、原稿がオリジナル原稿に対して拡大・縮小コピーされていた場合などでは、付加情報を読み込めなかったり、誤認識したりして、オリジナルファイルを検索できないといった問題があった。
【０００４】
そこで、本発明は、原稿の画質劣化が激しく付加情報を読み込めない場合や誤認識してしまう場合でも、オリジナルファイルを正しく検索することが可能であり、どのような状態の原稿に対しても画質劣化の無いコピーを得ることができる複写装置を提供することを目的とする。
【０００５】
【課題を解決するための手段】
上記目的を達成するために、本発明の複写装置は、原稿から読み取った画像信号を入力する画像入力手段と、該入力した画像信号から付加情報を読み込む付加情報読込手段と、該読み込んだ付加情報を基に、前記原稿のオリジナルファイルを検索する検索手段とを備え、前記原稿の代わりに前記検索されたオリジナルファイルを用いて印刷する複写装置において、前記付加情報を表示する表示手段と、該表示された付加情報を編集する編集手段とを備え、前記検索手段は、前記編集された付加情報を新たな付加情報として検索に用いることを特徴とする。
【０００６】
【発明の実施の形態】
本発明の複写装置の実施の形態について図面を参照しながら説明する。
【０００７】
［第１の実施形態］
（システム全体）
図１は第１の実施形態のネットワークシステム全体の構成を示す図である。図において、１００１は本実施形態のマルチファンクション装置である。マルチファンクション装置１００１は、後述するスキャナおよびプリンタから構成され、スキャナから読み込んだ画像をローカルエリアネットワーク１０１０（以下、ＬＡＮという）に流したり、ＬＡＮから受信した画像をプリンタで印刷する。また、スキャナから読み込んだ画像を、ＦＡＸ送信部（図示せず）によりＰＳＴＮまたはＩＳＤＮ１０３０に送信したり、ＰＳＴＮまたはＩＳＤＮ１０３０から受信した画像をプリンタで印刷する。
【０００８】
１００２はデータベースサーバであり、マルチファンクション装置１００１から読み込んだ２値画像および多値画像をデータベースとして管理する。１００３はデータベースサーバ１００２のデータベースクライアントであり、データベース１００２に保存されている画像データを閲覧・検索する。１００４は電子メールサーバであり、マルチファンクション装置１００１から読み取った画像を電子メールの添付ファイルとして受け取ることができる。
【０００９】
１００５は電子メールのクライアントであり、電子メールサーバ１００４で受け取った電子メールを受信・閲覧したり、電子メールを送信する。１００６はＨＴＭＬ文書をＬＡＮに提供するＷＷＷサーバである。マルチファンクション装置１００１はＷＷＷサーバ１００６から提供されるＨＴＭＬ文書を印刷できる。１００７はＤＮＳサーバである。
【００１０】
１０１１はルータであり、ＬＡＮ１０１０をインターネット／イントラネット１０１２と連結する。インターネット／イントラネット１０１２には、前述したデータベースサーバ１００２、ＷＷＷサーバ１００６、電子メールサーバ１００４およびマルチファンクション装置１００１と同様の装置、つまりデータベースサーバ１０２１、ＷＷＷサーバ１０２２、電子メールサーバ１０２３およびマルチファンクション装置１０２０が連結されている。
【００１１】
また、マルチファンクション装置１００１は、ＰＳＴＮまたはＩＳＤＮ１０３０を介して、ＦＡＸ装置１０３１と送受信可能である。また、ＬＡＮ１０１０にはプリンタ１０４０も連結されており、マルチファンクション装置１００１で読み取った画像を印刷可能である。
【００１２】
（画像入出力装置）
図２は画像入出力装置の構成を示す図である。この画像入出力装置１００は前述したマルチファンクション装置１００１、１０２０と同様の機能を有するものである。画像入出力装置１００は、リーダ部２００、プリンタ部３００、コントローラ部１１０および操作部１８０から主に構成される。
【００１３】
リーダ部２００は、原稿画像を光学的に読み取って画像データに変換するものであり、原稿を読み取るスキャナユニット２１０、および原稿用紙を搬送する原稿給紙ユニット２５０からなる。プリンタ部３００は、記録紙を搬送し、その上に画像データを可視画像として印字した後、機外に排紙するものであり、複数種類の記録紙カセットを有する給紙ユニット３６０、画像データを記録紙に転写・定着するマーキングユニット３１０、および印字された記録紙をソートしたりステイプルして機外に出力する排紙ユニット３７０からなる。
【００１４】
コントローラ部１１０は、リーダ部２００およびプリンタ部３００と電気的に接続され、ネットワーク（ＬＡＮ）４００を介してホストコンピュータ４０１、４０２と接続されている。また、コントローラ部１１０は、リーダ部２００を制御して原稿の画像データを読み込み、プリンタ部３００を制御して画像データを記録用紙に出力するコピー機能を提供する。また、リーダ部２００から読み取った画像データをコードデータに変換し、ネットワーク４００を介してホストコンピュータに送信するスキャナ（ＯＣＲ）機能、ホストコンピュータからネットワーク４００を介して受信したコードデータを画像データに変換し、プリンタ部３００に出力するプリンタ機能を提供する。
【００１５】
操作部１８０は、コントローラ部１１０に接続され、液晶タッチパネルからなり、画像入出力装置１００を操作するためのユーザＩ／Ｆを提供する。
【００１６】
図３はリーダ部２００およびプリンタ部３００の構成を示す図である。リーダ部２００内の原稿給送ユニット２５０は、原稿を先頭から順に１枚ずつプラテンガラス２１１上に給送し、原稿の読み取り動作終了後、プラテンガラス２１１上の原稿を排出するものである。
【００１７】
原稿がプラテンガラス２１１上に搬送されると、ランプ２１２を点灯して光学ユニット２１３の移動を開始させ、原稿を露光走査する。このとき、原稿からの反射光は、ミラー２１４、２１５、２１６およびレンズ２１７を通ってＣＣＤイメージセンサ（以下、ＣＣＤという）２１８に導かれる。このように、走査された原稿の画像はＣＣＤ２１８によって読み取られる。
【００１８】
２２２はリーダ画像処理回路（部）であり、ＣＣＤ２１８から出力される画像データに所定の処理を施し、スキャナＩ／Ｆを介してコントローラ部１１０に出力する。３５２はプリンタ画像処理回路（部）であり、プリンタＩ／Ｆ１４５を介してコントローラ部１１０から送られる画像信号をレーザドライバに出力する。
【００１９】
プリンタ部３００のレーザドライバ３１７は、レーザ発光部３１３、３１４、３１５、３１６を駆動するものであり、プリンタ画像処理部３５２から出力される画像データに応じたレーザ光を各レーザ発光部３１３、３１４、３１５、３１６から発光させる。このレーザ光は、ミラー３４０、３４１、３４２、３４３、３４４、３４５、３４６、３４７、３４８、３４９、３５０、３５１によって感光ドラム３２５、３２６、３２７、３２８に照射され、感光ドラム３２５、３２６、３２７、３２８には、レーザ光に応じた潜像が形成される。
【００２０】
３２１、３２２、３２３、３２４は、それぞれブラック（Ｂｋ）、イエロー（Ｙ）、シアン（Ｃ）、マゼンダ（Ｍ）のトナーによって潜像を現像する現像器である。現像された各色のトナーは用紙に転写され、フルカラーのプリントアウトが行われる。
【００２１】
用紙カセット３６０、３６１および手差しトレイ３６２のいずれかから、レーザ光の照射開始と同期したタイミングで給紙された用紙は、レジストローラ３３３を経て、転写ベルト３３４上に吸着されて搬送される。そして、感光ドラム３２５、３２６、３２７、３２８に付着された現像剤を記録紙に転写する。現像剤が転写された記録紙は定着部３３５に搬送され、定着部３３５の熱と圧力により現像剤は記像紙に定着する。定着部３３５を通過した記録紙は排出ローラ３３６によって排出されると、排紙ユニット３７０は排出された記録紙を束ねて記録紙を仕分けしたり、仕分けされた記録紙のステイプルを行う。
【００２２】
一方、両面記録が設定されている場合、排出ローラ３３６の所まで記録紙を搬送した後、排出ローラ３３６の回転方向を逆転させ、フラッパ３３７によって再給紙搬送路３３８に導く。再給紙搬送路３３８に導かれた記録紙は、前述したタイミングで転写ベルト３３４に給紙される。
【００２３】
（リーダ画像処理部）
図４はリーダ画像処理部２２２の構成を示す図である。リーダ画像処理部２２２には、プラテンガラス２１１上の原稿がＣＣＤ２１８によって読み取られ、電気信号に変換された信号が入力する。
【００２４】
ＣＣＤ２１８がカラーセンサである場合、ＲＧＢのカラーフィルタが１ラインＣＣＤ上にＲＧＢ順にインラインに設けられたものでも、３ラインＣＣＤであって、Ｒフィルタ、Ｇフィルタ、ＢフィルタをそれぞれＣＣＤに並べたものでもよい。また、フィルタがオンチップ化されたもの、あるいはフィルタがＣＣＤとは別に構成されたものでもよい。
【００２５】
ＣＣＤ２１８からの電気信号（アナログ画像信号）はリーダ画像処理部２２２に入力し、クランプ＆Ａｍｐ．＆Ｓ／Ｈ＆Ａ／Ｄ部２２３でサンプルホールド（Ｓ／Ｈ）される。クランプ＆Ａｍｐ．＆Ｓ／Ｈ＆Ａ／Ｄ部２２３では、アナログ画像信号のダークレベルを基準電位にクランプすると、アナログ画像信号は所定量に増幅された後、Ａ／Ｄ変換され、例えばＲＧＢ各８ビットのディジタル信号に変換される。このＲＧＢ信号は、次段のシェーディング部２２４において、シェーディング補正および黒補正が施された後、コントローラ部１１０に出力される。
【００２６】
（コントローラ部）
図５はコントローラ部１１０の構成を示す図である。メインコントローラ１１１は主にＣＰＵ１１２、バスコントローラ１１３、各種Ｉ／Ｆコントローラ回路から構成される。ＣＰＵ１１２およびバスコントローラ１１３は、コントローラ部１１０全体の動作を制御するものである。ＣＰＵ１１２はＲＯＭ１２０からＲＯＭ  Ｉ／Ｆ１２１を経由して読み込んだプログラムを実行する。また、ホストコンピュータから受信したＰＤＬ（ページ記述言語）コードデータを解釈し、ラスタイメージデータに展開する処理は、このプログラムに記述されている。
【００２７】
バスコントローラ１１３は各Ｉ／Ｆから入出力されるデータの転送を制御するものであり、バス競合時の調停やＤＭＡデータ転送を制御する。ＤＲＡＭ１２２はＤＲＡＭ  Ｉ／Ｆ１２３を介してメインコントローラ１１１と接続されており、ＣＰＵ１１２が動作するためのワークエリア、あるいは画像データを蓄積するためのエリアとして使用される。
【００２８】
調歩同期シリアル通信コントローラ１１４は、リーダ部２００、プリンタ部３００の各ＣＰＵとシリアルバス１７２、１７３を介して制御コマンドを送受信し、操作部１８０のタッチパネルやキー入力の通信を行う。
【００２９】
ネットワークコントローラ（Ｎｅｔｗｏｒｋ  Ｃｏｎｔｏｒｌｌｅｒ）１２５は、Ｉ／Ｆ１２７によってメインコントローラ１１１と接続され、コネクタ１２６によって外部ネットワークと接続される。ネットワークとして、一般的にイーサネット（登録商標）が挙げられる。
【００３０】
シリアルコネクタ１２４はメインコントローラ１１１と接続され、外部機器との通信を行う。シリアルバスとして、一般的にＵＳＢが挙げられる。ファン（ＦＡＮ）１２８はメインコントローラ１１１に接続され、コントローラ部１１０を冷却するのに用いられる。
【００３１】
温度監視ＩＣ１４２は、シリアルバス１４３によってメインコントローラ１１１に接続されており、ＦＡＮ１２８の制御、リアルタイムクロックモジュール１３７の温度補正等に用いられる。
【００３２】
汎用高速バス１３０には、拡張ボードを接続するための拡張コネクタ１３５、Ｉ／Ｏ制御部１３６、ＨＤコントローラ１３１およびＣｏｄｅｃ１３３が接続されている。汎用高速バスとして、一般的にＰＣＩバスが挙げられる。
【００３３】
Ｃｏｄｅｃ１３３は、ＤＲＡＭ１２２に蓄積されたラスタイメージデータをＭＨ／ＭＲ／ＭＭＲ／ＪＢＩＧ／ＪＰＥＧ等の方式で圧縮し、また逆に圧縮されて蓄積されたコードデータをラスタイメージデータに伸長する。ＳＲＡＭ１３４はＣｏｄｅｃ１３３の一時的なワーク領域として使用される。ＤＲＡＭ１２２との間のデータの転送はバスコントローラ１１３によって制御され、ＤＭＡ転送される。
【００３４】
ＨＤコントローラ１３１は、外部記憶装置を接続するためのものである。本実施形態では、このＩ／Ｆを介してハードディスクドライブ１３２が接続されている。ハードディスクドライブ１３２はプログラムを格納したり、画像データを記憶するのに用いられる。
【００３５】
Ｉ／Ｏ制御部１３６は、データバスの制御を行うとともに、ポートや割り込みの制御を行う。パネルＩ／Ｆ１４１は、ＬＣＤコントローラ１４０に接続され、操作部１８０上の液晶画面に表示を行うＩ／Ｆ、およびハードキーやタッチパネルキーの入力を行うキー入力Ｉ／Ｆ１７１からなる。
【００３６】
操作部１８０は、液晶表示部、この液晶表示部上に貼り付けられたタッチパネル入力部、および複数個のハードキーを有する。タッチパネルまたはハードキーにより入力された信号は、パネルＩ／Ｆ１７１を介してＣＰＵ１１２に伝えられる。液晶表示部は、パネルＩ／Ｆ１４１から送られてきた画像データを表示したり、本画像入出力装置１００の操作に関する機能表示や画像データ等を表示する。
【００３７】
リアルタイムクロックモジュール１３７は、機器内で管理する日付と時刻を更新・保存するものであり、バックアップ電池１３８によってバックアップされている。ＳＲＡＭ１３９はバックアップ電池１３８でバックアップされ、ユーザモード、各種設定情報、ハードディスクドライブ１３２のファイル管理情報等を蓄積する。
【００３８】
Ｇｒａｐｈｉｃ  Ｐｒｏｃｅｓｓｏｒ１５１は、ＤＲＡＭ１２２に蓄積された画像データに対し、画像回転、画像変倍、色空間変換、二値化、スキャナ画像入力、プリンタ画像出力等の処理を行う。ＤＲＡＭ１５２はＧｒａｐｈｉｃ  Ｐｒｏｃｅｓｓｏｒ１５１の一時的なワーク領域として使用される。ＧｒａｐｈｉｃＰｒｏｃｅｓｓｏｒ１５１はＩ／Ｆ１５０を介してメインコントローラ１１１と接続され、ＤＲＡＭ１２２との間のデータの転送は、バスコントローラ１１３によって制御され、ＤＭＡ転送される。
【００３９】
コネクタ１６０、１５５は、それぞれリーダ部２００、プリンタ部３００に接続され、調歩同期シリアルＩ／Ｆ（１７３、１７２）およびビデオＩ／Ｆ（１６３、１６２）からなる。
【００４０】
スキャナ画像処理部１５７は、コネクタ１６０を介してリーダ部２００と接続され、スキャナバス１６１によってＧｒａｐｈｉｃ  Ｐｒｏｃｅｓｓｏｒ１５１と接続されている。スキャナ画像処理部１５７は、リーダ部２００から受け取った画像に対して所定の処理を施す機能を有し、さらに、リーダ部２００から送られたビデオ制御信号を基に生成した制御信号を、スキャナバス１６１に出力する機能も有する。ＦＩＦＯ１５８はスキャナ画像処理部１５７と接続され、リーダ部２００から送られてくるビデオ信号のライン補正を行うのに用いられる。
【００４１】
プリンタ画像処理部１５３は、コネクタ１５５を介してプリンタ部３００と接続され、プリンタバス１５６によってＧｒａｐｈｉｃ  Ｐｒｏｃｅｓｓｏｒ１５１と接続されている。プリンタ画像処理部１５３は、Ｇｒａｐｈｉｃ  Ｐｒｏｃｅｓｓｏｒ１５１から出力された画像データに所定の処理を施してプリンタ部３００に出力する機能を有し、さらに、プリンタ部３００から送られたビデオ制御信号を基に生成した制御信号を、プリンタバス１６２に出力する機能も有する。
【００４２】
ＤＲＡＭ１５４はプリンタ画像処理部１５３に接続され、ビデオ信号を一定時間遅延させるのに用いられる。ＤＲＡＭ１２２上に展開されたラスタイメージデータのプリンタ部への転送は、バスコントローラ１１３によって制御され、Ｇｒａｐｈｉｃ  Ｐｒｏｃｅｓｓｏｒ１５１、プリンタ画像処理部１５３およびコネクタ１５５を経由してプリンタ部３００にＤＭＡ転送される。
【００４３】
（スキャナ画像処理部）
図６はスキャナ画像処理部１５７の構成を示す図である。リーダ部２００からコネクタ１６０を介して送られる画像信号に対し、つなぎ＆ＭＴＦ補正部６０１は、読取速度に応じてライン毎の遅延量を調整し、読取速度によって変化したＭＴＦを補正する。ＣＣＤ２１８が３ラインＣＣＤである場合、つなぎ処理では、３ラインの読取位置が同じになるように、信号タイミングが補正される。
【００４４】
ＦＩＦＯ１５８はライン遅延バッファとして用いられる。読取位置タイミングが補正されたデジタル信号に対し、入力マスキング部６０２によって、ＣＣＤ２１８の分光特性、ランプ２１２およびミラー２１４、２１５、２１６の分光特性が補正される。入力マスキング部６０２の出力は、ＡＣＳカウント部４０５およびＧｒａｐｈｉｃ  Ｐｒｏｃｅｓｓｏｒ１５１に送られる。
【００４５】
（プリンタ画像処理部）
図７はプリンタ画像処理１５３の構成を示す図である。Ｇｒａｐｈｉｃ  Ｐｒｏｃｅｓｓｏｒ１５１からプリンタバス１５６を介して送られる画像信号は、ＬＯＧ変換部７０１に入力する。ＬＯＧ変換部７０１はＬＯＧ変換を行い、ＲＧＢ信号からＣＭＹ信号に変換する。
【００４６】
モアレ除去部７０２では、モアレが除去される。ＵＣＲ＆マスキング部７０３では、モアレ除去処理されたＣＭＹ信号からＵＣＲ処理によってＣＭＹＫ信号が生成され、マスキング処理によってプリンタ出力に見合った信号に補正される。ＵＣＲ＆マスキング部７０３で処理された信号は、γ補正部７０４で濃度調整された後、フィルタ部７０５でスムージングあるいはエッジ処理される。
【００４７】
出力切り替え７０６は、感光ドラム３２１〜３２４のドラム間の距離を補正するために、ＣＭＹＫ画像毎に一旦画像をＤＲＡＭ１５４に蓄積し、ドラム間の距離が補正された画像をコネクタ１５５を介してプリンタ部３００に送る。
【００４８】
（Ｇｒａｐｈｉｃ  Ｐｒｏｃｅｓｓｏｒ）
図８はＧｒａｐｈｉｃ  Ｐｒｏｃｅｓｓｏｒ１５１の構成を示す図である。Ｇｒａｐｈｉｃ  Ｐｒｏｃｅｓｓｏｒ１５１は、画像回転、画像変倍、色空間変換、二値化、スキャナ画像入力、プリンタ画像出力、付加情報検出の処理を行う各モジュールを有する。
【００４９】
ＤＲＡＭ１５２はＤＲＡＭコントローラ８０８を介して各モジュールの一時的なワーク領域として使用される。各モジュールが用いるＤＲＡＭ１５２のワーク領域が競合しないように、予め各モジュール毎にワーク領域が静的に割り当てられる。
【００５０】
Ｇｒａｐｈｉｃ  Ｐｒｏｃｅｓｓｏｒ１５１は、Ｉ／Ｆ１５０を介してメインコントローラ１１１と接続される。ＤＲＡＭ１２２との間のデータの転送は、バスコントローラ１１３によって制御され、ＤＭＡ転送される。バスコントローラ１１３は、ＧｒａｐｈｉｃＰｒｏｃｅｓｓｏｒ１５１の各モジュールにモード等を設定する制御、および各モジュールに画像データを転送するためのタイミング制御を行う。
【００５１】
（操作部）
図９は操作部１８０の構成を示す図である。ＬＣＤ表示部３００１では、ＬＣＤ上にタッチパネルシートが貼られており、ＬＣＤ表示部３００１はシステムの操作画面を表示するとともに、表示されているキーが押されると、その位置情報をコントローラＣＰＵに伝える。
【００５２】
スタートキー３００２は原稿画像の読み取り動作を開始する時などに用いられる。スタートキー３００２の中央部には、緑と赤の２色ＬＥＤが設けられており、その色によってスタートキーが使える状態にあるか否かが分かる。ストップキー３００３は稼働中の動作を止める働きをする。ＩＤキー３００４は使用者のユーザＩＤを入力するときに用いられる。リセットキー３００５は操作部の設定を初期化するときに用いられる。
【００５３】
（操作画面）
図１０は操作画面を示す図である。本実施形態の画像入出力装置が提供する機能は、Ｃｏｐｙ／Ｓｅｎｄ／Ｒｅｔｒｉｅｖｅ／Ｔａｓｋｓ／Ｍａｎａｇｅｍｅｎｔ／Ｃｏｎｆｉｇｕｒａｔｉｏｎの６つの大きなカテゴリに分かれており、これらは操作画面３０１０の上部に表示される６つのメインタブ（ＣＯＰＹ／ＳＥＮＤ／ＲＥＴＲＥＩＶＥ／ＴＡＳＫＳ／ＭＧＭＴ／ＣＯＮＦＩＧ）３０１１〜３０１６に対応している。
【００５４】
これらのメインタブを押すことにより、各カテゴリの画面への切り替えが行われる。他のカテゴリへの切り換えが許可されない場合、メインタブの表示色が変わり、メインタブを押しても反応しない。
【００５５】
Ｃｏｐｙは、自機のスキャナとプリンタを使用して通常のドキュメントを複写する機能、自機のスキャナとネットワークで接続されたプリンタを使用してドキュメントを複写する機能（リモートコピー）を含む。
【００５６】
Ｓｅｎｄは、自機のスキャナに置かれたドキュメントを、電子メール、リモートプリンタ、ファックス、ファイル転送（ＦＴＰ）およびデータベースに転送する機能であり、宛先を複数指定することが可能である。Ｒｅｔｒｉｅｖｅは、外部にあるドキュメントを取得し、自機のプリンタで印刷する機能である。ここで、ドキュメントの取得手段として、ＷＷＷ、電子メール、ファイル転送およびファックスの使用が挙げられる。
【００５７】
Ｔａｓｋｓはファックスやインターネットプリントなど、外部から送られるドキュメントを自動処理し、定期的にＲｅｔｒｉｅｖｅを行うためのタスクの生成・管理を行う。Ｍａｎａｇｅｍｅｎｔはジョブ、アドレス帳、ブックマーク、ドキュメント、アカウント情報などの管理を行う。Ｃｏｎｆｉｇｕｒａｔｉｏｎは自機に関する設定（ネットワーク、時計など）を行う。
【００５８】
（ＣＯＰＹ画面）
図１１はＣＯＰＹ画面を示す図である。ＣＯＰＹ画面表示時にスタートボタンを押すと、スキャナが動作し、選択されているプリンタから画面上に表示されている各設定パラメータに応じた複写物が出力される。
【００５９】
ＣＯＰＹメイン画面３１００は、プリンタ選択ボタン３１０３、プリンタ表示領域３１０２、Ｉｍａｇｅ  Ｑｕａｌｉｔｙ選択ボタン３１０５、Ｉｍａｇｅ  Ｑｕａｌｉｔｙ表示領域３１０４、従来の複写機と同様のコピーパラメータ表示部３１０１、拡大縮小設定ボタン３１０６、３１０７、紙選択ボタン３１０８、ソータ設定ボタン３１１０、両面コピー設定ボタン３１１２、濃度インジケータ、濃度設定ボタン３１０９およびテンキー３１１４から構成される。
【００６０】
プリンタ選択ボタン３１０３を押すと、使用可能なプリンタ（自機が有するプリンタおよびネットワークで接続されたプリンタ）の一覧３１２０がプルダウン表示される。図１２はプリンタ一覧表示画面を示す図である。一覧の中から所望のプリンタを選択すると、一覧が消え、プリンタ表示領域３１０２に選択されたプリンタ名が表示される。
【００６１】
Ｉｍａｇｅ  Ｑｕａｌｉｔｙ設定ボタン３１０５を押すと、Ｉｍａｇｅ  Ｑｕａｌｉｔｙ一覧が表示され、その中から所望のＩｍａｇｅ  Ｑｕａｌｉｔｙを選択することができる。前述したコピーパラメータ設定ボタンを押すと、それぞれに対応した設定を行うためのサブ画面（拡大縮小設定、紙選択、ソータ設定、両面コピー設定）が表示され、従来の複写機での設定と同様にパラメータを設定することができる。また、濃度設定も従来の複写機と同様に操作して設定することができる。
【００６２】
（ＰＤＬ画像出力時のシーケンス）
図１３はＰＤＬ画像出力処理手順を示すフローチャートである。ＰＤＬ画像を出力する場合、ＰＣ４０１上でユーザがこのＰＤＬ画像出力ジョブのプリント設定を行う（ステップＳ１）。プリント設定内容は、部数、用紙サイズ、片面／両面、ページ出力順序、ソート出力、ステイプル止めの有無等である。
【００６３】
ＰＣ４０１上で印刷指示を与えると共に、ＰＣ４０１上にインストールされているドライバソフトウェアが印刷対象となるＰＣ４０１上のコードデータをいわゆるＰＤＬデータに変換し、ステップＳ１で設定したプリント設定パラメータとともに、本画像入出力装置のコントローラ部１１０に、ネットワーク４００を介してＰＤＬデータを転送する（ステップＳ２）。
【００６４】
コントローラ部１１０のメインコントローラ１１１内のＣＰＵ１１２は、コネクタ１２６およびＮｅｔｗｏｒｋＣｏｎｔｒｏｌｌｅｒ１２５を介して転送されたＰＤＬデータをプリント設定パラメータに基づいて、画像データに展開（ラスタライズ）する（ステップＳ３）。この画像データの展開は、ＤＲＡＭ１２２上で行われる。
【００６５】
画像データの展開が完了すると、メインコントローラ１１１がＤＲＡＭ１２２上に展開された画像データを、Ｇｒａｐｈｉｃ  Ｐｒｏｃｅｓｓｏｒ１５１に転送する（ステップＳ４）。Ｇｒａｐｈｉｃ  Ｐｒｏｃｅｓｓｏｒ１５１は、プリント設定パラメータとは独立して画像処理を行う（ステップＳ５）。例えば、プリント設定パラメータで指定された用紙サイズがＡ４であるにもかかわらず、プリンタ部３００の給紙ユニット３６０にはＡ４Ｒサイズの用紙しかない場合、Ｇｒａｐｈｉｃ  Ｐｒｏｃｅｓｓｏｒ１５１で画像を９０度回転することによって、出力用紙に合わせた画像出力を行うことができる。
【００６６】
画像データの画像処理が完了すると、Ｇｒａｐｈｉｃ  Ｐｒｏｃｅｓｓｏｒ１５１はメインコントローラ１１１に画像処理後の画像データを転送する（ステップＳ６）。メインコントローラ１１１は、転送されてきた画像データをＤＲＡＭ１２２上に記憶する。
【００６７】
メインコントローラ１１１は、Ｇｒａｐｈｉｃ  Ｐｒｏｃｅｓｓｏｒ１５１、プリンタ画像処理部１５３およびコネクタ１５５を介して、プリンタ部３００を制御しつつ、適切なタイミングでＤＲＡＭ１２２上の画像データをプリンタ部３００に転送する（ステップＳ７）。コントローラ部１１０は、プリンタ部３００を制御して画像データをプリント出力する（ステップＳ８）。画像データの転送が完了すると、すなわちこのＰＤＬジョブが終了すると、本プリント出力を終了する。
【００６８】
（コピー画像出力時のシーケンス）
図１４はコピー画像出力処理手順を示すフローチャートである。コピー画像を出力する場合、操作部１８０上でユーザがこのコピー画像出力ジョブのコピー設定を行う（ステップＳ１１）。コピー設定内容は、部数、用紙サイズ、片面／両面、拡大／縮小率、ソート出力、ステイプル止めの有無等である。
【００６９】
操作部１８０上でコピー開始指示を与えると、コントローラ部１１０のメインコントローラ１１１はコネクタ１６０を介してリーダ部２００を制御し、原稿の画像データの読み込み動作を行う（ステップＳ１２）。まず、原稿給送ユニット２５０は、載置された原稿を１枚ずつプラテンガラス２１１上に給送し、その際、同時に原稿のサイズを検知する。検知された原稿のサイズに基づいて原稿を露光走査することにより、画像データを読み取るわけである。読み取られた画像データはＧｒａｐｈｉｃ  Ｐｒｏｃｅｓｓｏｒ１５１で指定された画像形式で圧縮されてＤＲＡＭ１２２上に記憶される。
【００７０】
ここで、従来のコピー機では、コピー設定の拡大／縮小率の設定に応じて、すなわち副走査方向の変倍率に応じて光学ユニット２１３の移動速度を変化させることにより副走査方向の変倍処理を実現していたが、本実施形態のコピー機では、コピー設定の拡大／縮小率の設定にかかわらず、必ず等倍（１００％）で画像データを読み取り、変倍処理については、主走査方向、副走査方向ともに、後述するＧｒａｐｈｉｃ  Ｐｒｏｃｅｓｓｏｒ１５１によって行うものとする。
【００７１】
メインコントローラ１１１がＤＲＡＭ１２２上の画像データを、Ｇｒａｐｈｉｃ  Ｐｒｏｃｅｓｓｏｒ１５１に転送する（ステップＳ１３）。ＧｒａｐｈｉｃＰｒｏｃｅｓｓｏｒ１５１はコピー設定パラメータに基づいて画像処理を行う（ステップＳ１４）。例えば、拡大４００％の設定がなされている場合、Ｇｒａｐｈｉｃ  Ｐｒｏｃｅｓｓｏｒ１５１内のモジュールである画像変倍部を用い、主走査方向および副走査方向の双方への変倍処理を行う。
【００７２】
画像データの画像処理が完了すると、Ｇｒａｐｈｉｃ  Ｐｒｏｃｅｓｓｏｒ１５１が画像処理後の画像データを指定された画像形式で圧縮してメインコントローラ１１１に転送し、メインコントローラ１１１は、転送されてきた画像データをＤＲＡＭ１２２上に記憶する（ステップＳ１５）。
【００７３】
メインコントローラ１１１は、ＤＲＡＭ１２２上に記憶された画像データを、指定されたファイル形式でファイル化し、ファイル化された画像データをＨＤコントローラ１３１を経由してＨＤドライブ１３２に転送することで、読み込んだ画像データをＨＤドライブ１３２に格納する。これらの動作はＤＦユニット２５０に原稿が存在する限り繰り返し行われる。
【００７４】
画像データをプリンタ部３００に転送する（ステップＳ１６）。このとき、プリントを行う画像データファイルがＤＲＡＭ１２２上に存在しない場合、ＨＤドライブ１３２から画像ファイルを読み込み、ＤＲＡＭ１２２に格納する。メインコントローラ１１１は、Ｇｒａｐｈｉｃ  Ｐｒｏｃｅｓｓｏｒ１５１、プリンタ画像処理部１５３およびコネクタ１５５を介して、プリンタ部３００を制御しつつ、適切なタイミングでＤＲＡＭ１２２上の画像データをプリンタ部３００に転送する。
【００７５】
コントローラ部１１０はプリンタ部３００を制御して画像データをプリント出力する（ステップＳ１７）。全ての画像データの転送が完了すると、つまりこのコピージョブが終了すると、プリント出力を終了する。
（オリジナルファイルコピー画像出力時シーケンス）
図１５はオリジナルファイルコピー画像出力処理手順を示すフローチャートである。オリジナルファイルコピー画像を出力する場合、操作部１８０上でユーザーがこのオリジナルファイルコピー画像出力ジョブの設定を行う（ステップＳ２１）。この設定内容は、部数、用紙サイズ、片面／両面、拡大／縮小率、ソート出力、ステイプル止めの有無等である。
【００７６】
操作部１８０上でコピー開始指示を与えると、コントローラ部１１０のメインコントローラ１１１はコネクタ１６０を介してリーダ部２００を制御し、原稿の画像データの読み込み動作を行う（ステップＳ２２）。まず、原稿給送ユニット２５０は、載置された原稿を１枚ずつプラテンガラス２１１上に給送し、その際、同時に原稿のサイズを検知する。検知された原稿のサイズに基づいて原稿を露光走査することにより、画像データを読み取るわけである。読み取られた画像データは、Ｇｒａｐｈｉｃ  Ｐｒｏｃｅｓｓｏｒ１５１で指定された画像形式で圧縮してＤＲＡＭ１２２上に記憶される。
【００７７】
メインコントローラ１１１は、ＤＲＡＭ１２２上の画像データをＧｒａｐｈｉｃ  Ｐｒｏｃｅｓｓｏｒ１５１の付加情報検出部８０９に転送し、原稿に付加された付加情報を検出する（ステップＳ２３）。付加情報としては、画像に埋め込まれた電子透かし、画像領域内に埋め込まれたバーコード、暗証コード等様々なものが挙げられるが、特に限定されるものではなく、原稿に付加可能なものであればよい。
【００７８】
原稿に対するオリジナルファイルをネットワーク経由で検索する（ステップＳ２４）。オリジナルファイルが見つかったか否かを判別し（ステップＳ２５）、オリジナルファイルが見つかった場合、検索されたファイルをＰＣ上でＰＤＬジョブ展開し、本装置にＰＤＬデータをネットワーク４００経由で転送する（ステップＳ２６）。このとき、ＰＤＬ画像出力ジョブのプリント設定は、前述したオリジナルファイルコピー画像出力ジョブの設定に基づいて設定される。受け取ったＰＤＬデータをＰＤＬ画像出力時のシーケンスと同様に処理し、プリント出力する（ステップＳ２７）。この後、本処理を終了する。
【００７９】
一方、ステップＳ２５でオリジナルファイルが見つからない場合、検出された付加情報から得られたファイルのパス情報を操作部１８０に表示し、編集可能とする（ステップＳ２８）。ここでは、ファイルのパス情報としているが、これに限定されるものではなく、ＵＲＬ、電子メールアドレス、ＦＡＸ番号等、原稿に対してオリジナルファイルを指定できるものであればよい。また、オリジナルのファイル情報だけでなく、その他、ログイン名、パスワード等の付加情報として埋め込まれているものがある場合、それを表示・編集してもよい。図１６は操作・編集画面を示す図である。
【００８０】
このように、第１の実施形態では、原稿の画質劣化が激しく付加情報を読み込めなかったり、誤認識してしまうものであっても、付加情報を訂正することで、オリジナルファイルを正しく検索することが可能である。また、付加情報が正しくない場合だけ操作・編集画面を表示するので、操作性を高めることができる。
【００８１】
［第２の実施形態］
第２の実施形態のネットワークシステムおよび画像入出力装置の構成は前記第１の実施形態と同じである。前記第１の実施形態では、ステップＳ２５でオリジナルファイルが見つからない場合、検出された付加情報から得られたファイルのパス情報を操作部１８０に表示し、編集可能としていたが、第２の実施形態では、ステップＳ２３で、原稿に付加された付加情報を検出すると、すぐさま検出された付加情報から選られたファイルのパス情報を操作部１８０に表示し、編集を加えることが可能である（ステップＳ２４Ａ）。図１７は第２の実施形態におけるオリジナルファイルコピー画像出力処理手順を示すフローチャートである。
【００８２】
尚、ファイルのパス情報の代わりに、ＵＲＬ、電子メールアドレス、ＦＡＸ番号等、原稿に対するオリジナルファイルを指定できるものであればよいことは前記第１の実施形態と同じである。また、オリジナルのファイル情報だけでなく、その他、ログイン名，パスワード等付加情報として埋め込まれているものがあればそれを表示・編集しても構わない。また、操作部および編集画面は図１６に示した通りである。
【００８３】
付加情報の編集終了後、原稿に対するオリジナルファイルをネットワーク４００経由で検索する（ステップＳ２５Ａ）。ステップＳ２６では、検索されたファイルをＰＣ上でＰＤＬジョブ展開し、本装置にＰＤＬデータをネットワーク４００を経由して転送する。このとき、ＰＤＬ画像出力ジョブのプリント設定は、前述したオリジナルファイルコピー画像出力ジョブの設定に基づいて設定される。ステップＳ２７では、受け取ったＰＤＬデータをＰＤＬ画像出力時のシーケンスと同様に処理し、プリント出力する。
【００８４】
このように、第２の実施形態では、前記第１の実施形態と同様、原稿の画質劣化が激しく付加情報を読み込めなかったり、誤認識してしまうものであっても、付加情報を訂正することで、オリジナルファイルを正しく検索することが可能である。また、オリジナルファイルの検索を開始する前に、付加情報の妥当性を知ることができ、誤っていると判断した場合、いち早く付加情報を訂正できる。
【００８５】
以上が本発明の実施の形態の説明であるが、本発明は、これら実施の形態の構成に限られるものではなく、特許請求の範囲で示した機能、または実施の形態の構成が持つ機能が達成できる構成であればどのようなものであっても適用可能である。
【００８６】
例えば、画像入出力装置は単体の機器であってが、複数の機器（例えば、ホストコンピュータ、インターフェース機器、リーダ、プリンタなど）から構成されるものであってもよい。
【００８７】
本発明の実施形態を以下に列挙する。
【００８８】
［実施態様１］  原稿から読み取った画像信号を入力する画像入力手段と、該入力した画像信号から付加情報を読み込む付加情報読込手段と、該読み込んだ付加情報を基に、前記原稿のオリジナルファイルを検索する検索手段とを備え、前記原稿の代わりに前記検索されたオリジナルファイルを用いて印刷する複写装置において、前記付加情報を表示する表示手段と、該表示された付加情報を編集する編集手段とを備え、前記検索手段は、前記編集された付加情報を新たな付加情報として検索に用いることを特徴とする複写装置。
【００８９】
［実施態様２］  前記検索の結果、前記オリジナルファイルが存在するか否かを判別する判別手段を備え、該判別の結果、前記オリジナルファイルが存在しない場合、前記編集手段は、前記付加情報を編集可能であることを特徴とする実施態様１記載の複写装置。
【００９０】
［実施態様３］  情報処理装置とともに、ネットワークまたは通信回線に接続され、前記検索手段は、前記ネットワークまたは前記通信回線を介して接続された他の装置も含めて前記オリジナルファイルを検索することを特徴とする実施態様１または２記載の複写装置。
【００９１】
［実施態様４］  前記付加情報は前記原稿に埋め込まれた電子透かし情報であることを特徴とする実施態様１記載の複写装置。
【００９２】
［実施態様５］  前記付加情報は前記原稿に印刷されたバーコード情報であることを特徴とする実施態様１記載の複写装置。
【００９３】
［実施態様６］  原稿から読み取った画像信号を入力し、該入力した画像信号から付加情報を読み込み、該読み込んだ付加情報を基に、前記原稿のオリジナルファイルを検索し、前記原稿の代わりに前記検索されたオリジナルファイルを用いて印刷する複写方法において、前記付加情報を表示する表示ステップと、該表示された付加情報を編集する編集ステップとを有し、前記検索ステップでは、前記編集された付加情報を新たな付加情報として検索に用いることを特徴とする複写方法。
【００９４】
［実施態様７］  前記検索の結果、前記オリジナルファイルが存在するか否かを判別する判別ステップを有し、該判別の結果、前記オリジナルファイルが存在しない場合、前記編集ステップでは、前記付加情報を編集可能であることを特徴とする実施態様６記載の複写方法。
【００９５】
［実施態様８］  情報処理装置とともに、ネットワークまたは通信回線に接続された複写装置に適用され、前記検索ステップでは、前記ネットワークまたは前記通信回線を介して接続された他の装置も含めて前記オリジナルファイルを検索することを特徴とする実施態様６または７記載の複写方法。
【００９６】
［実施態様９］  前記付加情報は前記原稿に埋め込まれた電子透かし情報であることを特徴とする実施態様６記載の複写方法。
【００９７】
［実施態様１０］  前記付加情報は前記原稿に印刷されたバーコード情報であることを特徴とする実施態様６記載の複写方法。
【００９８】
【発明の効果】
本発明によれば、原稿の画質劣化が激しく付加情報を読み込めない場合や誤認識してしまう場合でも、オリジナルファイルを正しく検索することが可能であり、どのような状態の原稿に対しても画質劣化の無いコピーを得ることができる。
【図面の簡単な説明】
【図１】第１の実施形態のネットワークシステム全体の構成を示す図である。
【図２】画像入出力装置の構成を示す図である。
【図３】リーダ部２００およびプリンタ部３００の構成を示す図である。
【図４】リーダ画像処理部２２２の構成を示す図である。
【図５】コントローラ部１１０の構成を示す図である。
【図６】スキャナ画像処理部１５７の構成を示す図である。
【図７】プリンタ画像処理１５３の構成を示す図である。
【図８】Ｇｒａｐｈｉｃ  Ｐｒｏｃｅｓｓｏｒ１５１の構成を示す図である。
【図９】操作部１８０の構成を示す図である。
【図１０】操作画面を示す図である。
【図１１】ＣＯＰＹ画面を示す図である。
【図１２】プリンタ一覧表示画面を示す図である。
【図１３】ＰＤＬ画像出力処理手順を示すフローチャートである。
【図１４】コピー画像出力処理手順を示すフローチャートである。
【図１５】オリジナルファイルコピー画像出力処理手順を示すフローチャートである。
【図１６】操作・編集画面を示す図である。
【図１７】第２の実施形態におけるオリジナルファイルコピー画像出力処理手順を示すフローチャートである。
【符号の説明】
１１０  コントローラ部
１１１  メインコントローラ
１２２  ＤＲＡＭ
１８０  操作部
２００  リーダ部
２１０  スキャナユニット
３００  プリンタ部
４００  ＬＡＮ
４０１  ＰＣ
【図１】
2004153638.tif 000003
【図２】
2004153638.tif 000004
【図３】
2004153638.tif 000005
【図４】
2004153638.tif 000006
【図５】
2004153638.tif 000007
【図６】
2004153638.tif 000008
【図７】
2004153638.tif 000009
【図８】
2004153638.tif 000010
【図９】
2004153638.tif 000011
【図１０】
2004153638.tif 000012
【図１１】
2004153638.tif 000013
【図１２】
2004153638.tif 000014
【図１３】
2004153638.tif 000015
【図１４】
2004153638.tif 000016
【図１５】
2004153638.tif 000017
【図１６】
2004153638.tif 000018
【図１７】
2004153638.tif 000019